(57)【要約】この器具は、結合手段（４０）に組み合わせられた検出手段（３２）を備えた単一の装填具により、異なる寸法の情報キャリヤーの移送を確実のものとする。情報キャリヤーの挿入の際は、結合手段（４０）は、挿入された情報キャリヤーの寸法に関連して設定された突起（５０Ａ、５０Ｂ）と協同し、この突起は、挿入された情報キャリヤーの設定をその作動位置に確保するために、クランプ手段及び駆動手段を作動させるスライダー（５２）に支持される。これにより、これらのクランプ手段及び駆動手段との間の同期が、前記キャリヤーの寸法に関連して作られる。
2006511002.tif 000002
【特許請求の範囲】
【請求項１】
情報キャリヤーの移送を確保し、かつ前記情報キャリヤーの作動位置における設置を確保するスライダー（５２）と協同する可動フレーム（２０）を備える異なった寸法の情報キャリヤー（５、７）用の移送具であって、挿入されたキャリヤーと協同する検出手段（３２）を備え、移送を確保する器具と挿入された情報キャリヤー（５、７）の寸法に関して間隔を空けられた高さの作動位置における設置を確保する器具との間の結合を確保するために、前記検出手段がスライダー（５２）上に設けられた突起（５０Ａ、５０Ｂ）と協同する可動の結合手段（４０）と組み合わせられることを特徴とする移送具。
【請求項２】
検出手段が、可動フレーム（２０）により支持される支持手段（３０）を回って旋回するフィーラー（３２）を備えることを特徴とする請求項１による器具。
【請求項３】
結合手段が、前記検出手段（３２）を回って旋回するラチェット（４０）を備えることを特徴とする先行請求項のいずれかによる器具。
【請求項４】
結合手段（４０）が、検出手段（３２）の面と実質的に直角方向の平面内で旋回することを特徴とする先行請求項のいずれかによる器具。
【請求項５】
結合手段（４０）の旋回軸（３４）が、前記手段（４０）のフック（４２）と可動フレーム（２０）の間に置かれることを特徴とする請求項３又は４による器具。
【請求項６】
スライダー（５２）が、間隔を空けられた高さに置かれた突起（５０Ａ、５０Ｂ）を担持することを特徴とする請求項１による器具。
【請求項７】
各結合手段（４０）が、実質的に垂直方向に設置された脚（４４）を担持することを特徴とする先行請求項のいずれかによる器具。
【請求項８】
固定フレーム（１）が開口（５４）を備え、結合手段（４０）のいかなる旋回も防ぐために、この開口の輪郭が脚（４４）を固定することを特徴とする請求項７による器具。
【請求項９】
脚（４４）を外して結合手段（４０）を突起（５０Ａ、５０Ｂ）から外すために、各開口（５４）の輪郭に隙間（３５）が設けられることを特徴とする請求項８による器具。
【発明の詳細な説明】
【技術分野】
【０００１】
本発明は、記録及び／又は再生装置への情報キャリヤー、特に光ディスク、磁気ディスク、ＣＤ、ＤＶＤ、…のような実質的に円形の情報記録の出し入れを確実にするための移送具に関する。より特別には、本発明は、例えば裸のディスク及び特許文献１に開示されたような保護カートリッジ内に収容されたディスクのような寸法及び／又は厚さが異なる２種の仕様を示している情報キャリヤー用の移送具に関する。
【背景技術】
【０００２】
裸ディスク及びカートリッジ入りディスクの装填を確実化する特許文献２及び特許文献３に開示されたような異なる仕様の情報キャリヤー用の器具が開発されている。しかし、これらは、それぞれ、キャリヤーを挿入する前に使用者が自分でどちらかの要素を選定するか特許文献２）、或いはキャリヤーの各形式に適した手段、例えば裸ディスク用のもの又はカートリッジ収容のディスク用の別の手段を装填するか（特許文献３）である。かかる器具は複雑、高費用であり、かつ大きな空間を必要とする。
【特許文献１】米国特許第４，３７７，５３８号  明細書
【特許文献２】米国特許第５，８６７，３３８号  明細書
【特許文献３】欧州特許第１，０８７，３８８号  明細書
【発明の開示】
【課題を解決するための手段】
【０００３】
本発明の目的は、移送中、挿入された情報キャリヤーに対する装置の駆動手段及びクランプ手段を同時にかつ自動的に適合させることにより、実質的に同じ輪郭を有するが寸法及び／又は厚さの異なる仕様の情報キャリヤーの移送を確保する単一で単純、低費用、信頼性があり、かつ小型の器具を提供することにより上述の欠点を克服することである。
【０００４】
本発明の更なる目的は、これらに異なった制御を行うことにより、移送具に既に設けられた手段に対する部品、追加費用、全高及び所要空間の増加を限定することである。
【０００５】
本発明の別の目的は、装置内へのキャリヤーの挿入前における使用者によるいかなる特別な操作／選択の必要も避けることである。
【０００６】
本発明による器具は、主請求項の内容を特徴とする。
【０００７】
本発明の更なる特徴、長所、特性は、本発明を限定しない方法で以下説明される好ましい実施例より明らかとなるであろう。またこれに対する更なる改良、変更を、図面を参照し、本発明の範囲から離れることなく行うことができる。
【発明を実施するための最良の形態】
【０００８】
明瞭化及び単純化の目的で、本発明の理解について厳密に必須の要素のみが各図に示される。
【０００９】
説明される実施例においては、情報キャリヤーは、裸ディスク（厚さの薄いキャリヤー）又は出願人の特許文献１に説明されたものと同様なカートリッジ入りのディスク（異なった寸法、即ち裸ディスクより厚さ及び直径の大きいキャリヤー）のどちらかを使用するＣＤ、ＤＶＤ（コンパクトディスク、デジタルヴァーサタイルディスクとも呼ばれる）のような標準の光ディスクである。
【００１０】
図面を参照すれば、移送具を組み込んだ装置は、半円形の開口３の設けられた固定フレーム１を備え、この開口のため、排出位置（図２）において、情報キャリヤー５、７を、その中央穴９により容易に取り上げることができる。装置において注目すべきは２対の可動ローラー１２、１４を備えることであり、これらローラーは、情報キャリヤー５、７に、その移送中、適切な中心合わせ用の力を加えるＶ字形の輪郭を持つ。ローラー１２、１４は、本発明の理解のための本質的な要素ではなく、これらはその完全な機構でなく略図で示される。その他のいかなる中心合わせ機構も使うことができる。移送具は、マイクロモーター（図示せず）から歯車列２４を経て駆動されるラック２２（図３ないし６）を担持している可動フレーム２０を備える。この可動フレーム２０はサブフレーム２１を支持し、このサブフレームは、一方では、フレーム２０に設けられた溝２６とサブフレーム２１に設置されかつ１対のローラー１２を担持している軸２７との組み合わせにより、他方では、サブフレーム２１に設けられた溝２８とフレーム２０上に設置されたスタッド２９との組み合わせにより動くことができる。可動フレーム２０は、１対の支持手段３０を、検出手段がこれを回って動き得るように、説明された実施例においては、フィーラーを反時計方向に強制する弾性手段（図示せず）の設けられたフィーラー３２（図４、６、８）が旋回できるように、１対の支持手段３０を横向きに支持する。各フィーラー３２は軸３４を担持し、ラチェットのような結合手段４０がこの軸を回って矢印Ｆ（図１ないし２、４Ａ、６Ａ、８）の方向で旋回運動をするように強制するリーフばねのような弾性手段４１の作用下で回ることができる。そこで、検出手段又はフィーラー３２は、実質的に垂直面内で旋回し、同時に結合手段又はラッチェット４０は、フィーラー３２とは異なる面、ここでは実質的に直角方向の面内で旋回することができる。これらラチェット４０は、それらの端部の一方に、フック状にされた輪郭４２（図４Ａ、５Ａ、８）を有し、このフックは、器具の単純化のため、固定フレーム１（図１）に設けられた開口５４により支持され案内されるスライダー５２（左のものだけが図示される）と一体であることが好ましい。突起５０Ａ、５０Ｂは、間隔を空けられた高さに設置される（図７）。
【００１１】
各スライダー５２は、突起５０Ａ、５０Ｂを担持している側とは反対側の外側に２個の溝５６、５７を担持し（図７）、これらの溝は、例えば、磁石６４（図３、５）を作動させるクランプ手段６３により、例えば情報キャリヤー５、７を支持しているターンテーブル６７を担持しているモーター６６を作動させる駆動手段６５により、それぞれ支持されるスタッド６０、６１（図３、４、５、６）を案内するためにＳ字形の輪郭を持つ。これら二つの手段は、装置の横側２に支持された固定軸７０、７２の周りを旋回する。そこで、支持の装填中、各スライダー５２は、長手方向に動きながら、クランプ手段６３及び駆動手段６５がそれらの軸７０、７２の周りで旋回して、情報キャリヤー５、７が作動位置に設定されたとき、前記キャリヤーが裸ディスク７又はカートリッジ５のいずれであっても（図３、５）これを確実にクランプしかつ駆動する。情報キャリヤー５、７の排出の際は、スライダー５２は、クランプ手段６３及び駆動手段６５がキャリヤーから離れるように動くように確実に反対方向に旋回して、キャリヤーが排出／挿入の非作動位置に動くことを許す。クランプ手段及び駆動手段の一方のみを可動とし、これが相対運動をしたときに情報キャリヤー５、７をその作動位置、非作動位置に置くことを考え得ることも言うまでもない。
【００１２】
ラチェット４０及びスライダー５２上の突起５０Ａ、５０Ｂは、後で明らかにされるように、ラック２２により駆動される可動フレーム２０と、作動位置に設定するための手段、例えばクランプ手段６３及び駆動手段６５とを同期させる。
【００１３】
薄い情報キャリヤー７（裸ディスク）の装填の場合は、フィーラー３２（図６）は、その弾性手段の作用下で低い高さに留まり、その高さは、これが情報キャリヤー７の表面と接触しない高さであり、一方、ラチェット４０はその高い位置にある。そこで、フック４２が突起５０Ａ（図６、６Ａ）と協同して各スライダー５２の運動を可動ラック２２及び可動フレーム２０の運動に続ける。
【００１４】
厚い情報キャリヤー５（カートリッジ）の装填中、前記キャリヤーはフィーラー３２に当たり、フィーラーはその弾性手段（図４）に対抗して軸３０の周りを旋回し、ラチェット４０を下向きに動かし、それらのフック４２を強制して突起５０Ｂ（図４、４Ａ）と協同させて、各スライダー５２の運動を、薄い情報キャリヤー７と比較して遅れてラック２２の運動に連結させる。
【００１５】
フック４２の設定は次のとおりである。即ち、フックは、可動フレーム２０が矢印Ｇの方向（図１ないし２、４、５）で動かされたとき、突起５０Ａ、５０Ｂ上に固定され、それらの旋回軸３４はフック４２とそれらの駆動手段、即ち可動フレーム２０との間に置かれる。更に、各ラチェット４０は実質的に垂直方向の脚４４（図８）を備え、この脚は固定フレーム１（図１、１Ａ）に設けられた開口５４から突き出し、更にその輪郭は、ラチェット４０のいかなる回転も防止するように前記脚４４を固定して、振動又は衝撃を受けた際に突起５０Ａ、５０Ｂ上のフック４２を確実に有効に固定するものである。
【００１６】
このようにして、使用者の特別な注意又は操作を必要としない１個の機構を作ることにより、フィーラー３２及びラチェット４０は、情報キャリヤー５、７の移送と作動位置における設定を確実にする手段との間の同期、説明された実施例におけるクランプ手段６３、駆動手段６５との間の同期を確保する。
【００１７】
薄い情報キャリヤー７（裸ディスク）の排出中は、スライダー５２は、矢印Ｇの方向とは逆方向で、ラック２２と同期して移動される。フック４２の輪郭は次の通りである。即ち、可動フレーム２０によりラチェット４０に加えられた力が、突起５０Ａからこれらを外すためにこれらを矢印Ｆと反対方向に旋回させようとする輪郭である。しかし、この運きは、いかなる旋回も防ぐためにラチェット４０の脚４４を固定している開口５４の輪郭により抵抗される。このとき、前記キャリヤー７は、そのクランプ手段６３及び駆動手段６５から全く自由である。同時に、各開口５４（図１から２）の輪郭に設けられた隙間５５が脚４４を外し、ラチェット４０が軸３４の周りを旋回することを許し、結果として、フック４２が突起５０Ａから外れる。このとき、ラチェット４０はスライダー５２から外される。駆動キャリヤー７を中央穴９により取り出すために、ラック２２により駆動される可動フレーム２０が、１対のローラー１２、１４により支持されている情報キャリヤー７の装置からの排出を許す。キャリヤー７が取り去られると、フィーラー３２はその弾性手段の作用によりその低い位置に旋回した状態のままであり、ラチェット４０はその高い位置に留まり、情報キャリヤー５又は７の挿入に備える。
【００１８】
厚い情報キャリヤー５（カートリッジ）の取出しの際は、スライダー５２はラック２２と同期して矢印Ｇの方向と反対方向に動かされる。同じ方法で、フックを突起５０Ｂから外すために、フック４２の輪郭により、前記フックを矢印Ｆの方向と反対の方向で旋回させるための牽引力を可動フック２０により作ることができる。しかし、この運動は、ラチェット４０の脚４４を固定している各開口５４の輪郭により、この場合も抵抗される。このとき、前記キャリヤー５は、そのクランプ手段６３及び駆動手段６５から全く自由である。同時に、各開口５４の輪郭に設けられた間隙５５が脚４４を外して、フック４２が突起５０Ｂから外れることを許し、従ってラチェット４０は、旋回しスライダー５２から離れるように動く。ラック２２により駆動される可動フレーム２０は、１対のローラー１２、１４により支持された情報キャリヤー５が、中央穴９により取り上げるられ、装置から排出されることを許す。キャリヤー５が取り出されると、フィーラー３２は、それ自体の弾性手段の作用によりその下方位置に向かって旋回され、その結果、ラチェット４０はその高い位置に置かれ、情報キャリヤー５又は７の挿入に対する準備状態となる。
【符号の説明】
【００１９】
１              固定フレーム
２              横壁
３              開口
５、７          情報キャリヤー
９              ５、７の中央穴
１２、１４      可動ローラー
２０            可動フレーム
２１            サブフレーム
２２            ラック
２４            歯車列
２６            溝
２７            軸
２８            溝
２９            スタッド
３０            支持手段／軸
３２            検出手段／フィーラー
３４            軸
４０            結合手段／ラチェット
４１            弾性手段／リーフばね
４２            プロフィル／フック
４４            脚
５０Ａ、５０Ｂ  突起
５２            スライダー
５４            開口
５５            隙間
５６、５７      溝
６０、６１      スタッド
６３            クランプ手段
６４            磁石
６５            駆動手段
６６            モーター
６７            ターンテーブル
７０、７２      固定軸
【図面の簡単な説明】
【００２０】
【図１】本器具を組み込んだ装置の概略平面図であり、フレームの一部は明瞭化のため切り取られており、前記装置はカートリッジ内に収容されたディスクを機能的に再生する位置にある。
【図１Ａ】図１と同様な部分図であるが、尺度が小さく、キャリヤーは裸ディスクである。
【図２】図１Ａと同様であり、装置は排出／挿入の非作動状態にある。
【図３】図１の装置の切断面Ａ−Ａに沿った部分断面図である。
【図４】図３を単純化した図であり、本発明の器具の本質的な要素のみを示している。
【図４Ａ】図４の詳細の平面図である。
【図５】図３と同様な図であるが、裸ディスクのための図である。
【図６】図４と同様であるが図５の器具用の図である。
【図６Ａ】図４Ａと同様であるが図５及び６に示された器具用の図である。
【図７】図１ないし５の一要素を明らかにする。
【図８】本発明の本質的な要素の斜視図である。
【図１】
2006511002.tif 000003
【図７】
2006511002.tif 000004
【図８】
2006511002.tif 000005
2006511002.tif 000006
【図２】
2006511002.tif 000007
【図３】
2006511002.tif 000008
【図４】
2006511002.tif 000009
【図５】
2006511002.tif 000010
【図６】
2006511002.tif 000011
【国際調査報告】
2006511002.tif 000012
2006511002.tif 000013